(57)【特許請求の範囲】
【請求項１】
第１キーと、その第１キーとともに開閉回動可能なカバーと、カバーの閉状態で第１キーの押下に伴って押下される一方、カバーの開状態で出現して該カバーの開状態で第１キーとは互いに独立して単独で押下される第２キーとを備え、第１キーの下面であって、第１キーの押下に伴って押下される複数の第２キーと対向する位置に、それぞれ凸部を形成し、第１キーの押下に伴って、複数の凸部を介していずれかの第２キーが押下される操作入力装置。
【請求項２】
請求項１に記載の操作入力装置において、カバーの開閉状態を検出するカバー検出手段と、カバーの閉状態で第１キーの押下に伴って第２キーが押下された場合は、カバー検出手段に基づいて第１キーが押下されたと判断し、カバーの開状態で第２キーが押下された場合は、カバー検出手段に基づいて第２キーが押下されたと判断する制御手段とを備えた操作入力装置。
【請求項３】
請求項１または請求項２に記載の操作入力装置において、第１キーは、ＦＡＸモード又はコピーモードに設定するＦＡＸ／コピーキーであり、第２キーは、予め登録したＦＡＸ番号をワンタッチで指定するワンタッチキーである操作入力装置。
【発明の詳細な説明】
【０００１】
【発明の属する技術分野】
本発明は、ファクシミリ装置や複写機能付きファクシミリ装置等に装備される操作入力装置に関し、より詳しくは操作の入力に特徴を有する操作入力装置に関するものである。
【０００２】
【従来の技術】
例えば、複写機能付きファクシミリ装置においては、コピー動作やファクシミリ動作を行わせるために多数のキーが操作部に配設されている。すなわち、操作部には、ＦＡＸモード又はコピーモードに設定するためのＦＡＸ／コピーキー、送信先のＦＡＸ番号又はコピー部数等を入力するためのテンキー、ワンタッチで送信先のＦＡＸ番号を設定するためのワンタッチキー、原稿の読み取り動作を開始させるためのスタートキー等が多数配設されている。加えて、同報通信等に代表される応用通信を設定するためのキー等も操作部に配設されている。そして、これらのキーを順次操作することによって、所望のファクシミリ通信動作やコピー動作を実行させることができる。
【０００３】
【発明が解決しようとする課題】
しかしながら、操作部において、これらのキーがそれぞれ独立して存在しているため、装置を小型化するにも限界があった。そこで、頻繁に使用されない機能（例えば応用通信等）であって、類似する機能を階層構造にすることによって、キー数を減少させる構成がある。しかし、このように類似する機能を階層構造にしても、装置の小型化には限界があった。
【０００４】
本発明は、このような問題点に着目してなされたものであって、その目的は、より一層装置の小型化に寄与することが可能な操作入力装置を提供することにある。
【０００５】
【課題を解決するための手段】
上記の目的を達成するために、請求項１に記載の発明では、第１キーと、その第１キーとともに開閉回動可能なカバーと、カバーの閉状態で第１キーの押下に伴って押下される一方、カバーの開状態で出現して該カバーの開状態で第１キーとは互いに独立して単独で押下される第２キーとを備え、第１キーの下面であって、第１キーの押下に伴って押下される複数の第２キーと対向する位置に、それぞれ凸部を形成し、第１キーの押下に伴って、複数の凸部を介していずれかの第２キーが押下される。
【０００６】
請求項２に記載の発明では、請求項１に記載の操作入力装置において、カバーの開閉状態を検出するカバー検出手段と、カバーの閉状態で第１キーの押下に伴って第２キーが押下された場合は、カバー検出手段に基づいて第１キーが押下されたと判断し、カバーの開状態で第２キーが押下された場合は、カバー検出手段に基づいて第２キーが押下されたと判断する制御手段とを備えた。
【０００７】
請求項３に記載の発明では、請求項１または請求項２に記載の操作入力装置において、第１キーは、ＦＡＸモード又はコピーモードに設定するＦＡＸ／コピーキーであり、第２キーは、予め登録したＦＡＸ番号をワンタッチで指定するワンタッチキーである。
【０００８】
なお、以下に述べる発明の実施の形態において、特許請求の範囲または課題を解決するための手段に記載の「操作入力装置」は操作部６０に相当し、同じく「第１キー」はＦＡＸ／コピーキー６１に相当し、同じく「第２キー」はワンタッチキー６２に相当し、同じく「カバー検出手段」はカバー開閉センサ６５に相当し、同じく「制御手段」はＭＰＵ１０、ＲＯＭ２０及びＲＡＭ３０に相当する。
【０００９】
【発明の実施の形態】
以下に、本発明に係る操作入力装置を複写機能付きファクシミリ装置に具体化した一実施形態について図面を用いて説明する。
【００１０】
図１に示すように、複写機能付きファクシミリ装置１は、ＭＰＵ１０、ＲＯＭ２０、ＲＡＭ３０、読取部４０、記録部５０、操作部６０、表示部７０、画像メモリ８０、コーデック９０、モデム１００、及びＮＣＵ１１０から構成されるとともに、各部１０〜１１０がバス１２０を介してそれぞれ接続されている。
【００１１】
ＭＰＵ１０は、複写機能付きファクシミリ装置１を構成する各部を制御する。ＲＯＭ２０は、複写機能付きファクシミリ装置１を制御するためのプログラムを記憶する。ＲＡＭ３０は、複写機能付きファクシミリ装置１に関する各種情報を一時的に記憶する。
【００１２】
読取部４０は、原稿上の画像データを読み取って、白黒２値のイメージデータを出力する。記録部５０は、電子写真方式のプリンタよりなり、受信画データや、コピー動作において読取部４０にて読み取られた原稿の画データを、記録紙上に記録する。
【００１３】
操作部６０は、ＦＡＸモード又はコピーモードに設定するためのＦＡＸ／コピーキー６１、予め登録したＦＡＸ番号をワンタッチで指定するためのワンタッチキー６２、電話番号又はコピー部数等を入力するためのテンキー（＊，＃キーを含む）６３、原稿の読み取り動作を開始させるためのスタートキー６４等の各種操作キーを備えている。
【００１４】
ここで、ＦＡＸ／コピーキー６１及びワンタッチキー６２の構成について、図２〜図６も参照しつつ説明する。
図２に示すように、カバー１３０の中央部には、ＦＡＸ／コピーキー６１が配設されている。そして、このカバー１３０を開くと、ＦＡＸ／コピーキー６１は、カバー１３０の開閉に伴って開閉される。すなわち、ＦＡＸ／コピーキー６１とワンタッチキー６２とは、上下関係を維持して同位置に配設されている。つまり、ＦＡＸ／コピーキー６１が上部に、ワンタッチキー６２が下部に配設されている。そして、カバー１３０を開くと、図３に示すように、２０個のワンタッチキー６２が出現する。
【００１５】
図４に示すように、カバー１３０とＦＡＸ／コピーキー６１との間には、ＦＡＸ／コピーキー６１を常時上方に付勢するためのコイルバネ１４０が介在している。ＦＡＸ／コピーキー６１の周縁には、係合凸部６１ａが形成されている。一方、カバー１３０には、その係合凸部６１ａと係合する係合凹部１３１が形成されている。このため、コイルバネ１４０の付勢力に抗して、ＦＡＸ／コピーキー６１を押下すると、係合凸部６１ａが係合凹部１３１内を上下方向に移動する。複数のワンタッチキー６２（本実施形態では６つ）と対向するＦＡＸ／コピーキー６１の下面には、複数の凸部６１ｂ（本実施形態では６つ）が形成されている。そして、ＦＡＸ／コピーキー６１を押下すると、複数の凸部６１ｂを介していずれかのワンタッチキー６２が押下される。
【００１６】
また、図５（ａ）〜（ｃ）に示すように、第１〜第３シート１６０，１７０，１８０には、ワンタッチキー６２に対応する位置に孔１６１，１７１，１８１が透設されている。図５（ａ）に示すように、第１シート１６０に透設された孔１６１の近傍には「０１〜２０」の番号が記載されている。図５（ｂ）に示すように、第２シート１７０に透設された孔１７１の近傍には「２１〜４０」の番号が記載されている。図５（ｃ）に示すように、第３シート１８０に透設された孔１８１の近傍には、「Ａ〜Ｔ」のアルファベットが記載されている。そして、図５（ｄ）に示すように、第１〜第３シート１６０，１７０，１８０を開状態にしたワンタッチキー６２の近傍には、「Ｕ〜Ｚ」のアルファベットと、１４個の特殊文字とが記載されている。すなわち、これらのアルファベットと特殊文字とは、操作部６０に直接記載されている。
【００１７】
図６に示すように、カバー１３０の基端部には、カバー１３０の開閉状態を検出するためのカバー開閉センサ６５が配設されている。このカバー開閉センサ６５は、フォト・インタラプタで構成されている。また、第１〜第３シート１６０，１７０，１８０の先端部には、タブ１６２，１７２，１８２が形成されている。そして、そのタブ１６２，１７２，１８２に対向する操作部６０の位置には、第１〜第３シート１６０，１７０，１８０の開閉状態を検出するための第１〜第３開閉センサ６６〜６８が配設されている。この第１〜第３開閉センサ６６〜６８は、反射型フォト・インタラプタで構成されている。
【００１８】
図１に示すように、表示部７０は、複写機能付きファクシミリ装置１の動作状態等の各種情報の表示を行うためのＬＣＤ７１、ＦＡＸ／コピーキー６１の押下に基づいて、ＦＡＸモードに設定されたことを示すためのＦＡＸランプ７２、コピーモードに設定されたことを示すコピーランプ７３等を備えている。なお、ＦＡＸランプ７２及びコピーランプ７３は、ＬＥＤで構成されている。
【００１９】
画像メモリ８０は、受信画データや読取部４０で読み取られた画データを一時的に記憶する。コーデック９０は、読取部４０にて読み取られた画データを送信のためにＭＨ，ＭＲ，ＭＭＲ方式等により符号化（エンコード）する。また、コーデック９０は、受信画データを復号（デコード）する。
【００２０】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ１１０は、電話回線Ｌとの接続を制御するとともに、相手先の電話番号（ＦＡＸ番号を含む）に対応したダイヤル信号の送出及び着信を検出するための機能を備えている。
【００２１】
次に、複写機能付きファクシミリ装置１におけるＦＡＸ／コピーキー６１及びワンタッチキー６２の押下時の動作について、図７及び図８に示すフローチャートを用いて説明する。なお、この動作は、ＲＯＭ２０に記憶されたプログラムに基づき、ＭＰＵ１０の制御により実行される。また、読取部４０には予め原稿が載置されている。
【００２２】
図７に示すステップＳ１においては、ワンタッチキー６２が押下されたか否かが判断される。ワンタッチキー６２が押下された場合は、ステップＳ１０に移行する。一方、ワンタッチキー６２が押下されない場合は、ステップＳ２に移行する。
【００２３】
ステップＳ２においては、テンキー６３が押下されたか否かが判断される。テンキー６３が押下された場合は、ステップＳ３に移行する。一方、テンキー６３が押下されない場合は、この処理を終了する。
【００２４】
ステップＳ３においては、現在のモードがＦＡＸモードであるか否かが判断される。ＦＡＸモードである場合は、ステップＳ４に移行する。一方、ＦＡＸモードでない場合、つまりコピーモードである場合は、ステップＳ７に移行する。
【００２５】
ステップＳ４においては、テンキー６３からの入力を送信先のＦＡＸ番号であると判断して、その値がＬＣＤ７１に表示されるとともに、複写機能付きファクシミリ装置１に設定される。
【００２６】
ステップＳ５においては、スタートキー６４が押下されたか否かが判断される。そして、スタートキー６４が押下されると、ステップＳ６に移行する。
ステップＳ６においては、読取部４０で原稿が読み取られた後、前記ステップＳ４において設定された送信先のＦＡＸ番号に対して、ＮＣＵ１１０から発呼が行われる。そして、送信先との間の回線が接続されると、原稿の画データが送信される。
【００２７】
ステップＳ７においては、テンキー６３からの入力をコピー部数であると判断して、その値がＬＣＤ７１に表示されるとともに、複写機能付きファクシミリ装置１に設定される。
【００２８】
ステップＳ８においては、スタートキー６４が押下されたか否かが判断される。そして、スタートキー６４が押下されると、ステップＳ９に移行する。
ステップＳ９においては、読取部４０で原稿が読み取られた後、読み取られた原稿の画データが記録部５０で記録紙に記録される。
【００２９】
ステップＳ１０においては、カバー１３０が開状態であるか否かが判断される。具体的には、カバー開閉センサ６５からの検出信号に基づいて判断される。そして、カバー１３０が開状態である場合、つまりワンタッチキー６２が出現している場合は、図８に示すステップＳ２１に移行する。一方、カバー１３０が開状態でない場合、つまりワンタッチキー６２が出現していない場合、さらに換言すればＦＡＸ／コピーキー６１が押下可能な状態である場合は、ステップＳ１１に移行する。
【００３０】
ステップＳ１１においては、現在のモードがＦＡＸモードであるか否かが判断される。ＦＡＸモードである場合は、ステップＳ１２に移行する。一方、ＦＡＸモードでない場合、つまりコピーモードである場合は、ステップＳ１３に移行する。
【００３１】
ステップＳ１２においては、ＦＡＸモードからコピーモードに設定される。このとき、ＦＡＸランプ７２が消灯されるとともに、コピーランプ７３が点灯される。その結果、ＦＡＸモードからコピーモードに設定されたことを確認することができる。
【００３２】
ステップＳ１３においては、コピーモードからＦＡＸモードに設定される。このとき、ＦＡＸランプ７２が点灯されるとともに、コピーランプ７３が消灯される。その結果、コピーモードからＦＡＸモードに設定されたことを確認することができる。
【００３３】
図８に示すステップＳ２１においては、第１シート１６０が開状態であるか否かが判断される。具体的には、第１開閉センサ６６からの検出信号に基づいて判断される。そして、第１シート１６０が開状態である場合は、ステップＳ２３に移行する。一方、第１シート１６０が開状態でない場合、つまり閉状態の場合は、ステップＳ２２に移行する。
【００３４】
ステップＳ２２においては、第１シート１６０のワンタッチキー６２に対応する番号に登録されている送信先のＦＡＸ番号がＬＣＤ７１に表示されるとともに、複写機能付きファクシミリ装置１に設定される。
【００３５】
ステップＳ２３においては、第２シート１７０が開状態であるか否かが判断される。具体的には、第２開閉センサ６７からの検出信号に基づいて判断される。そして、第２シート１７０が開状態である場合は、ステップＳ２７に移行する。一方、第２シート１７０が開状態でない場合、つまり閉状態の場合は、ステップＳ２４に移行する。
【００３６】
ステップＳ２４においては、第２シート１７０のワンタッチキー６２に対応する番号に登録されている送信先のＦＡＸ番号がＬＣＤ７１に表示されるとともに、複写機能付きファクシミリ装置１に設定される。
【００３７】
ステップＳ２５においては、スタートキー６４が押下されたか否かが判断される。そして、スタートキー６４が押下されると、ステップＳ２６に移行する。
ステップＳ２６においては、読取部４０で原稿が読み取られた後、前記ステップＳ２２又はＳ２４において設定された送信先のＦＡＸ番号に対して、ＮＣＵ１１０から発呼が行われる。そして、送信先との間の回線が接続されると、原稿の画データが送信される。
【００３８】
ステップＳ２７においては、第３シート１８０が開状態であるか否かが判断される。具体的には、第３開閉センサ６８からの検出信号に基づいて判断される。そして、第３シート１８０が開状態である場合は、ステップＳ２９に移行する。一方、第３シート１８０が開状態でない場合、つまり閉状態の場合は、ステップＳ２８に移行する。
【００３９】
ステップＳ２８においては、第３シート１８０のワンタッチキー６２に対応する文字（アルファベット「Ａ〜Ｔ」）がＬＣＤ７１に表示される。
ステップＳ２９においては、第１〜第３シート１６０，１７０，１８０を開状態にしたワンタッチキー６２に対応する文字（アルファベット「Ｕ〜Ｚ」と１４個の特殊文字）がＬＣＤ７１に表示される。
【００４０】
以上、詳述したように本実施形態によれば、次のような作用、効果を得ることができる。
（１）カバー１３０の中央部には、ＦＡＸ／コピーキー６１が配設されている。カバー１３０の閉状態において、ＦＡＸ／コピーキー６１の下部には、ワンタッチキー６２が配設されている。つまり、ＦＡＸ／コピーキー６１とワンタッチキー６２とは、上下関係を維持して同位置に配設されている。また、カバー１３０の基端部には、カバー１３０の開閉状態を検出するためのカバー開閉センサ６５が配設されている。このため、カバー１３０が閉状態のときにＦＡＸ／コピーキー６１を押下すると、複数の凸部６１ｂを介していずれかのワンタッチキー６２が押下される。このとき、カバー１３０が閉状態であるため、ＦＡＸ／コピーキー６１が押下されたと判断される。その結果、操作部６０の小型化に寄与することができる。従って、従来のように類似する特定の機能を階層構造にする構成よりも、より一層複写機能付きファクシミリ装置１自体の小型化にも寄与することができる。
【００４１】
（２）カバー１３０及び第１〜第３シート１６０，１７０，１８０の開閉状態に応じて、ワンタッチキー６２が異なる機能を有している。換言すれば、カバー１３０及び第１〜第３シート１６０，１７０，１８０と、ワンタッチキー６２との組合せに応じて、ワンタッチキー６２の機能が変更されている。その結果、操作部６０の小型化に寄与することができ、ひいては複写機能付きファクシミリ装置１自体の小型化にも寄与することができる。
【００４２】
（３）ＦＡＸ／コピーキー６１の下面には、複数の凸部６１ｂ（本実施形態では６つ）が形成されている。このため、コイルバネ１４０の付勢力に抗して、ＦＡＸ／コピーキー６１を押下すると、複数の凸部６１ｂを介していずれかのワンタッチキー６２が押下される。その結果、ＦＡＸ／コピーキー６１のいずれの箇所を押下しても、確実にワンタッチキー６２を押下することができる。その結果、ＦＡＸ／コピーキー６１の押下を確実に判断することができる。従って、ＦＡＸ／コピーキー６１の押下に基づいて、ＦＡＸモードとコピーモードとを確実に切り換えることができる。
【００４３】
（４）第１シート１６０及び第２シート１７０が出現している場合は、ワンタッチキー６２に対応する番号に登録されている送信先のＦＡＸ番号がＬＣＤ７１に表示されるとともに、複写機能付きファクシミリ装置１に設定される。一方、第３シート１８０又は操作部６０が出現している場合は、ワンタッチキー６２に対応する文字がＬＣＤ７１に表示される。このため、文字等を入力するための文字入力モードに設定する必要がない。従って、カバー１３０及び第１〜第３シート１６０，１７０，１８０の開閉状態に応じて、ワンタッチキー６２を送信先のＦＡＸ番号の設定と、文字入力とのいずれにも使用することができる。
【００４４】
なお、前記実施形態は、次のように変更して具体化することも可能である。
・前記実施形態では、ワンタッチキー６２からの送信先のＦＡＸ番号又は文字の入力をシート毎に切り換える構成であったが、これに代えて、文字入力モードに設定するキー等を備え、例えば「０１」と「Ａ」とを第１シート１６０の孔１６１の近傍に記載し、送信先のＦＡＸ番号と文字とを記憶させて、ＦＡＸモードにおいて「０１」と「Ａ」とに対応するワンタッチキー６２が押下された場合は、「０１」に登録されているＦＡＸ番号を、文字入力モードにおいて「０１」と「Ａ」とに対応するワンタッチキー６２が押下された場合は、「Ａ」が入力される構成にしても良い。
【００４５】
・また、ＦＡＸモードにおいて「０１」と「Ａ」とに対応するワンタッチキー６２が押下された場合は、「０１」に登録されているＦＡＸ番号を、コピーモードにおいて、「０１」と「Ａ」とに対応するワンタッチキー６２が押下された場合は、「Ａ」が入力される構成にしても良い。このように構成すれば、文字入力モードに設定するためのキーを設けることなく、送信先のＦＡＸ番号の設定と、文字の入力とを行うことができる。
【００４６】
・前記実施形態では、第１〜第３シート１６０，１７０，１８０の３つのシートを備えた構成であったが、４つ以上のシートを備えた構成にしても良い。
・前記実施形態では、ＦＡＸ／コピーキー６１とワンタッチキー６２とを重ね合わせた構成であったが、これに代えて、短縮番号の登録又は短縮番号から発信するための短縮キー（図示略）とワンタッチキー６２とを重ね合わせた構成等であっても良い。
【００４７】
・前記実施形態におけるコイルバネ１４０は、板バネであっても良い。
・加えて、係合凸部６１ａと係合凹部１３１との間に樹脂製の板バネを介在する構成にしても良い。
【００４８】
・また、ＦＡＸ／コピーキー６１又はカバー１３０と一体成形された板バネであっても良い。
・さらに、ＦＡＸ／コピーキー６１自体を弾性部材で構成しても良い。
【００４９】
・ＦＡＸ／コピーキー６１の底面に形成された複数の凸部６１ｂは、４箇所であっても良い。
さらに、上記実施形態より把握される請求項以外の技術的思想について、以下にそれらの効果と共に記載する。
【００５０】
〔１〕請求項２に記載の操作入力装置において、シートは複数である操作入力装置。このように構成すれば、第２キーに多機能を備えさせることができるとともに、より一層装置の小型化に寄与することができる。
【００５１】
〔２〕請求項１〜請求項３、前記〔１〕のいずれか１項に記載の操作入力装置において、第１キーはＦＡＸモード又はコピーモードに切り換えるものであり、第２キーは複数のワンタッチキーである操作入力装置。このように構成すれば、ＦＡＸモード又はコピーモードに切り換える第１キーとワンタッチキーである第２キーとが上下関係を維持して同位置に配設される構成となり、より一層装置の小型化に寄与することができる。
【００５２】
〔３〕請求項２、請求項３、前記〔１〕又は〔２〕のいずれか１項に記載の操作入力装置において、制御手段は、ＦＡＸモード又はコピーモードとシートの開閉状態とに応じて、送信先のＦＡＸ番号の設定又は文字入力を行う操作入力装置。このように構成すれば、ＦＡＸモード又はコピーモードとシートの開閉状態とに応じて、第２キーを送信先のＦＡＸ番号の設定と、文字入力とのいずれにも使用することができる。
【００５３】
【発明の効果】
本発明は、以上のように構成されているため、次のような効果を奏する。
請求項１〜請求項３のいずれか１項に記載の発明によれば、第２キーに多機能を備えさせることができるとともに、より一層装置の小型化に寄与することができる。また、第１キーのいずれの箇所を押下しても、確実に第２キーを押下することができる。
【図面の簡単な説明】
【図１】複写機能付きファクシミリ装置の構成を示すブロック図。
【図２】カバー及びＦＡＸ／コピーキーを示す平面図。
【図３】ワンタッチキー及び第１〜第３シートを示す平面図。
【図４】カバー、ＦＡＸ／コピーキー及びワンタッチキーの構成を示す縦断面図。
【図５】（ａ）第１シートを示す平面図。
（ｂ）第２シートを示す平面図。
（ｃ）第３シートを示す平面図。
（ｄ）第１〜第３シートを開状態にしたときの操作部に記載された文字を示す平面図。
【図６】カバー、ＦＡＸ／コピーキー及びワンタッチキーを示す斜視図。
【図７】ＦＡＸ／コピーキー及びワンタッチキーの押下時の動作を示すフローチャート。
【図８】ＦＡＸ／コピーキー及びワンタッチキーの押下時の動作を示すフローチャート。
【符号の説明】
１０…制御手段を構成するＭＰＵ、２０…制御手段を構成するＲＯＭ、３０…制御手段を構成するＲＡＭ、６０…操作入力装置としての操作部、６１…第１キーとしてのＦＡＸ／コピーキー、６１ｂ…凸部、６２…第２キーとしてのワンタッチキー、６５…カバー検出手段としてのカバー開閉センサ、６６…シート検出手段としての第１開閉センサ、６７…シート検出手段としての第２開閉センサ、６８…シート検出手段としての第３開閉センサ、１３０…カバー、１６０…シートを構成する第１シート、１７０…シートを構成する第２シート、１８０…シートを構成する第３シート。
【図１】
0003565212.tif 000002
【図２】
0003565212.tif 000003
【図３】
0003565212.tif 000004
【図４】
0003565212.tif 000005
【図５】
0003565212.tif 000006
【図６】
0003565212.tif 000007
【図７】
0003565212.tif 000008
【図８】
0003565212.tif 000009